【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
画像データを符号化する符号化装置において、
上記画像データを符号ブロックに分割して、最上位ビットから最下位ビットに至るビットプレーンを生成する生成手段と、
上記画像データをフィルタリングして生成されたサブバンド内の符号ブロックを対象として、最もビット位置の高いビットプレーンから最もビット位置の低いビットプレーンの順に、ビットプレーン毎に符号化して、符号化ストリーム生成する符号化手段と、
各ビットプレーンにおける符号化が終了する毎に生成された符号量の累積値が目標符号量を上回った場合に、次のビットプレーンにおける符号化を停止するように上記符号化手段を制御する制御手段と
を備える符号化装置。
【請求項２】
上記制御手段は、各ビットプレーンにおける符号化が終了する毎に生成された符号量の累積値が目標符号量以下である場合に、次のビットプレーンにおける符号化を行うように上記符号化手段を制御する
請求項１記載の符号化装置。
【請求項３】
上記制御手段は、上記目標符号量を上回る直前のビットプレーンの符号化までに生成された符号を、上記符号化手段により生成される符号化ストリームに含める
請求項１記載の符号化装置。
【請求項４】
上記符号化手段は、ＪＰＥＧ−２０００方式に従って符号化する
請求項１記載の符号化装置。
【請求項５】
画像データを符号化する符号化方法において、
上記画像データを符号ブロックに分割して、最上位ビットから最下位ビットに至るビットプレーンを生成する生成工程と、
上記画像データをフィルタリングして生成されたサブバンド内の符号ブロックを対象として、最もビット位置の高いビットプレーンから最もビット位置の低いビットプレーンの順に、ビットプレーン毎に符号化して、符号化ストリーム生成する符号化工程と、
各ビットプレーンにおける符号化が終了する毎に生成された符号量の累積値が目標符号量を上回った場合に、次のビットプレーンにおける符号化を停止するように上記符号化工程を制御する制御工程と
を備える符号化方法。
【請求項６】
画像データを符号化する符号化装置において、
上記画像データを符号ブロックに分割して、最上位ビットから最下位ビットに至るビットプレーンを生成する生成手段と、
上記画像データをフィルタリングして生成された複数のサブバンドの符号ブロックを対象として、最低域のサブバンドから最高域のサブバンドの順に、かつ、最もビット位置の高いビットプレーンから最もビット位置の低いビットプレーンの順に、ビットプレーン毎に符号化して、符号化ストリーム生成する符号化手段と、
各ビットプレーンにおける符号化が終了する毎に生成された符号量の累積値が目標符号量を上回った場合に、次のビットプレーンにおける符号化を停止するように上記符号化手段を制御する制御手段と
を備える符号化装置。
【請求項７】
上記画像データは輝度成分と色差成分とから構成されており、
上記符号化手段は、輝度成分から色差成分の順に符号化する
請求項６記載の符号化装置。
【請求項８】
画像データを符号化する符号化方法において、
上記画像データを符号ブロックに分割して、最上位ビットから最下位ビットに至るビットプレーンを生成する生成工程と、
上記画像データをフィルタリングして生成された複数のサブバンドの符号ブロックを対象として、最低域のサブバンドから最高域のサブバンドの順に、かつ、最もビット位置の高いビットプレーンから最もビット位置の低いビットプレーンの順に、ビットプレーン毎に符号化して、符号化ストリーム生成する符号化工程と、
各ビットプレーンにおける符号化が終了する毎に生成された符号量の累積値が目標符号量を上回った場合に、次のビットプレーンにおける符号化を停止するように上記符号化工程を制御する制御工程と
を備える符号化方法。
【手続補正２】
【補正対象書類名】明細書
【補正対象項目名】発明の名称
【補正方法】変更
【補正の内容】
【発明の名称】符号化装置及び方法
【手続補正３】
【補正対象書類名】明細書
【補正対象項目名】０００１
【補正方法】変更
【補正の内容】
【０００１】
本発明は、例えばＪＰＥＧ−２０００方式のように、ウェーブレット変換とエントロピー符号化とにより画像を圧縮する符号化装置及びその方法に関する。
【手続補正４】
【補正対象書類名】明細書
【補正対象項目名】００１２
【補正方法】変更
【補正の内容】
【００１２】
上述した目的を達成するために、本発明に係る符号化装置は、画像データを符号化する符号化装置において、上記画像データを符号ブロックに分割して、最上位ビットから最下位ビットに至るビットプレーンを生成する生成手段と、上記画像データをフィルタリングして生成されたサブバンド内の符号ブロックを対象として、最もビット位置の高いビットプレーンから最もビット位置の低いビットプレーンの順に、ビットプレーン毎に符号化して、符号化ストリーム生成する符号化手段と、各ビットプレーンにおける符号化が終了する毎に生成された符号量の累積値が目標符号量を上回った場合に、次のビットプレーンにおける符号化を停止するように上記符号化手段を制御する制御手段とを備える。
【手続補正５】
【補正対象書類名】明細書
【補正対象項目名】００１３
【補正方法】変更
【補正の内容】
【００１３】
本発明に係る符号化方法は、画像データを符号化する符号化方法において、上記画像データを符号ブロックに分割して、最上位ビットから最下位ビットに至るビットプレーンを生成する生成工程と、上記画像データをフィルタリングして生成されたサブバンド内の符号ブロックを対象として、最もビット位置の高いビットプレーンから最もビット位置の低いビットプレーンの順に、ビットプレーン毎に符号化して、符号化ストリーム生成する符号化工程と、各ビットプレーンにおける符号化が終了する毎に生成された符号量の累積値が目標符号量を上回った場合に、次のビットプレーンにおける符号化を停止するように上記符号化工程を制御する制御工程とを備える。
【手続補正６】
【補正対象書類名】明細書
【補正対象項目名】００１４
【補正方法】変更
【補正の内容】
【００１４】
本発明に係る符号化装置は、画像データを符号化する符号化装置において、上記画像データを符号ブロックに分割して、最上位ビットから最下位ビットに至るビットプレーンを生成する生成手段と、上記画像データをフィルタリングして生成された複数のサブバンドの符号ブロックを対象として、最低域のサブバンドから最高域のサブバンドの順に、かつ、最もビット位置の高いビットプレーンから最もビット位置の低いビットプレーンの順に、ビットプレーン毎に符号化して、符号化ストリーム生成する符号化手段と、各ビットプレーンにおける符号化が終了する毎に生成された符号量の累積値が目標符号量を上回った場合に、次のビットプレーンにおける符号化を停止するように上記符号化手段を制御する制御手段とを備える。
【手続補正７】
【補正対象書類名】明細書
【補正対象項目名】００１５
【補正方法】変更
【補正の内容】
【００１５】
本発明に係る符号化方法は、画像データを符号化する符号化方法において、上記画像データを符号ブロックに分割して、最上位ビットから最下位ビットに至るビットプレーンを生成する生成工程と、上記画像データをフィルタリングして生成された複数のサブバンドの符号ブロックを対象として、最低域のサブバンドから最高域のサブバンドの順に、かつ、最もビット位置の高いビットプレーンから最もビット位置の低いビットプレーンの順に、ビットプレーン毎に符号化して、符号化ストリーム生成する符号化工程と、各ビットプレーンにおける符号化が終了する毎に生成された符号量の累積値が目標符号量を上回った場合に、次のビットプレーンにおける符号化を停止するように上記符号化工程を制御する制御工程とを備える。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】